(57)【特許請求の範囲】
【請求項１】
コンタクト収容キャビティを有する絶縁性のハウジングと、前記コンタクト収容キャビティ内に収容されたリセプタクルコンタクトとを備えたシーケンシャル接続コネクタであって、
前記コンタクト収容キャビティ内のリセプタクルコンタクトと前記ハウジングの内壁との間に挿入配置された付加コンタクトを備え、
該付加コンタクトは、前記リセプタクルコンタクトに接触する接触板部と、該接触板部の挿入方向後端側から湾曲部を介して延び、前記ハウジングの内壁に食い込む係止部と、該接触板部の挿入方向前端側から延びて前記リセプタクルコンタクトの前端よりも前方に突出し且つ相手雄型コンタクトの進入路を横切る接触アームとを備え、
前記付加コンタクトは、前記係止部が前記ハウジングの内壁に食い込み、前記接触板部が前記リセプタクルコンタクトに接触することにより、前記ハウジングの内壁及び前記リセプタクルコンタクト間に挟持されることを特徴とするシーケンシャル接続コネクタ。
【請求項２】
前記付加コンタクトは、略Ｓ字形に形成されていることを特徴とする請求項１記載のシーケンシャル接続コネクタ。
【請求項３】
前記付加コンタクトは、前記湾曲部がハウジングランスの先端に当接して挿入方向の位置決めがなされることを特徴とする請求項１又は２記載のシーケンシャル接続コネクタ。
【請求項４】
前記付加コンタクトの前記挿入方向と直交する方向の側部には、前記付加コンタクトの挿入方向と直交する方向への移動を規制する幅広部が形成されていることを特徴とする請求項１乃至３のうちいずれか一項に記載のシーケンシャル接続コネクタ。
【請求項５】
コンタクト収容キャビティを有する絶縁性のハウジングと、前記コンタクト収容キャビティ内に収容されたリセプタクルコンタクトとを備えたシーケンシャル接続コネクタに用いられる付加コンタクトであって、
前記リセプタクルコンタクトに接触する接触板部と、該接触板部の後端側から湾曲部を介して延び、前記ハウジングの内壁に食い込む係止部と、該接触板部の前端側から延びて前記リセプタクルコンタクトの前端よりも前方に突出し且つ相手雄型コンタクトの進入路を横切る接触アームとを備えたことを特徴とするシーケンシャル接続コネクタに用いられる付加コンタクト。
【請求項６】
略Ｓ字形に形成されていることを特徴とする請求項５記載のシーケンシャル接続コネクタに用いられる付加コンタクト。
【発明の詳細な説明】
【０００１】
【発明の属する技術分野】
本発明は、シーケンシャル接続コネクタ及びそれに用いられる付加コンタクトに関する。
【０００２】
【従来の技術】
コンピュータ、電話交換機等の配線の接続においては、例えば、接地用コンタクト、電源用コンタクト、及び信号用コンタクトを備えたシーケンシャル接続コネクタが使用される。
このシーケンシャル接続コネクタとして、例えば、図６に示すものが知られている。
【０００３】
図６において、シーケンシャル接続コネクタ（以下、単にコネクタという）１００は、複数のコンタクト受容通路１１１ａ、１１１ｂを有するハウジング１１０と、コンタクト受容通路１１１ａ、１１１ｂ内に収容固定される複数のリセプタクルコンタクト１２１ａ、１２１ｂとを備えている。そして、リセプタクルコンタクト１２１ａ、１２１ｂのうち、１２１ａは接地用、１２１ｂは信号用であり、それぞれのリセプタクルコンタクト１２１ａ、１２１ｂは、電線Ｗに接続されている。また、リセプタクルコンタクト１２１ａ、１２１ｂのそれぞれは、相手雄型コンタクト２２１ａ、２２１ｂのそれぞれを受容するリセプタクル部１２２ａ、１２２ｂを有し、リセプタクル部１２２ａ、１２２ｂのそれぞれの内部には、相手雄型コンタクト２２１ａ、２２１ｂのそれぞれに接触する弾性接触片１２４ａ、１２４ｂが設けられている。
【０００４】
そして、接地用のリセプタクルコンタクト１２１ａのリセプタクル部１２２ａの上壁１２３ａには、略Ｕ字形状の別体のクリップ１２５が前記上壁１２３ａを挟み込むように装着されている。別体のクリップ１２５を接地用のリセプタクルコンタクト１２１ａに装着すると、クリップ１２５前端の湾曲部１２５ａがリセプタクルコンタクト１２１ａの前端よりも前方に突出する。このため、相手雄型コンタクト２２１ａ、２２１ｂのうち、接地用のリセプタクルコンタクト１２１ａに接続すべき接地用の相手雄型コンタクト２２１ａが最初にクリップ１２４に接触し、次いで、信号用の相手雄型コンタクト２２１ｂが信号用のリセプタクルコンタクト１２１ｂに接触し、シーケンシャル接続が得られるようになっている。
【０００５】
このように、シーケンシャル接続を行うのは、シーケンシャル接続を行うことにより、電気的ノイズの発生を阻止し、データや回路基板への悪影響を防止するためである。
なお、クリップ１２５をリセプタクルコンタクト１２１ｂのリセプタクル部１２２ｂの上壁１２３ｂに装着することにより、リセプタクルコンタクト１２１ｂに接続すべき相手雄型コンタクト２２１ｂを最初にクリップ１２５に接触させることができる。
【０００６】
【発明が解決しようとする課題】
しかしながら、この図６に示した従来のシーケンシャル接続コネクタにあっては、以下の問題点があった。
即ち、図６に示したコネクタ１００の場合、リセプタクルコンタクト１２１ａ、１２１ｂが比較的大きいため、リセプタクル部１２２ａ、１２２ｂ内に空間的余裕があり、別体のクリップ１２５をリセプタクルコンタクト１２１ａ、１２１ｂに容易に装着することができた。
【０００７】
しかしながら、小型のリセプタクルコンタクトの場合には、リセプタクル部内に空間的余裕はなく、クリップ１２５をリセプタクルコンタクトに装着するのは困難である。
一方、小型のリセプタクルコンタクトのリセプタクル部上壁にクリップ１２５を装着すると、クリップ１２５の湾曲部１２５ａの下部がリセプタクル部の相手雄型コンタクト受容空間内に突出してしまう。このため、リセプタクル部内に受容された相手雄型コンタクトによるリセプタクル部内の弾性接触片への負荷が設計当初のそれと異なってしまい、リセプタクルコンタクトと相手雄型コンタクトとの所望の接続性能が得られないおそれがあった。このため、小型のリセプタクルコンタクトの場合、シーケンシャルを確実に行うことができなかった。
【０００８】
従って、本発明は上述の問題点に鑑みてなされたものであり、その目的は、小型のリセプタクルコンタクトの場合であっても、シーケンシャル接続を可能とする付加コンタクトを容易に装着できるとともにシーケンシャル接続を確実に達成することができる、シーケンシャル接続コネクタ及びそれに用いられる付加コンタクトを提供することにある。
【０００９】
【課題を解決するための手段】
上記問題を解決するため、本発明のうち請求項１に係るシーケンシャル接続コネクタは、コンタクト収容キャビティを有する絶縁性のハウジングと、前記コンタクト収容キャビティ内に収容されたリセプタクルコンタクトとを備えたシーケンシャル接続コネクタであって、前記コンタクト収容キャビティ内のリセプタクルコンタクトと前記ハウジングの内壁との間に挿入配置された付加コンタクトを備え、該付加コンタクトは、前記リセプタクルコンタクトに接触する接触板部と、該接触板部の挿入方向後端側から湾曲部を介して延び、前記ハウジングの内壁に食い込む係止部と、該接触板部の挿入方向前端側から延びて前記リセプタクルコンタクトの前端よりも前方に突出し且つ相手雄型コンタクトの進入路を横切る接触アームとを備え、前記付加コンタクトは、前記係止部が前記ハウジングの内壁に食い込み、前記接触板部が前記リセプタクルコンタクトに接触することにより、前記ハウジングの内壁及び前記リセプタクルコンタクト間に挟持されることを特徴としている。
【００１０】
このシーケンシャル接続コネクタによれば、付加コンタクトを、コンタクト収容キャビティ内のリセプタクルコンタクトとハウジングの内壁との間に挿入配置した状態で、相手コネクタを嵌合接続すると、相手雄型コンタクトのうち、付加コンタクトと接触しているリセプタクルコンタクトに接続すべき相手雄型コンタクトが先ず付加コンタクトの接触アームに接触し、その後他の相手雄型コンタクトが付加コンタクトと接触していないリセプタクルコンタクトに接触し、シーケンシャル接続が達成される。ここで、付加コンタクトは、コンタクト収容キャビティ内のリセプタクルコンタクトとハウジングの内壁との間に挿入配置されるので、小型のリセプタクルコンタクトの場合であってもシーケンシャル接続を可能とする付加コンタクトを容易に装着することができる。そして、付加コンタクトは、接触板部の挿入方向前端側から延びてリセプタクルコンタクトの前端よりも前方に突出し且つ相手雄型コンタクトの進入路を横切る接触アームを備えているので、相手雄型コンタクトが確実に接触アームに接触し、シーケンシャル接続を確実に達成することができる。また、付加コンタクトは、接触板部の挿入方向後端側から湾曲部を介して延びる係止部がハウジングの内壁に食い込み、接触板部がリセプタクルコンタクトに接触することにより、ハウジングの内壁及びリセプタクルコンタクト間に挟持されるので、接触板部と係止部との間の湾曲部の弾性力が接触板部に作用し、リセプタクルコンタクトと付加コンタクトとの安定した接触状態を確保することができる。
【００１１】
本発明のうち請求項２に係るシーケンシャル接続コネクタは、請求項１記載の発明において、前記付加コンタクトは、略Ｓ字形に形成されているので、ばね領域を大きくとることができ、塑性変形のしにくい付加コンタクトとすることができる。
本発明のうち請求項３に係るシーケンシャル接続コネクタは、請求項１又は２記載の発明において、前記付加コンタクトは、前記湾曲部がハウジングランスの先端に当接して挿入方向の位置決めがなされることを特徴としている。
【００１２】
このシーケンシャル接続コネクタによれば、付加コンタクトがコンタクト収容キャビティ内のコンタクトとハウジングの内壁との間に挿入配置された際に、付加コンタクトの湾曲部がハウジングランスの先端に当接して挿入方向の位置決めがなされ、付加コンタクトの挿入方向の正確な位置決めがなされる。また、付加コンタクトの湾曲部がハウジングランスの先端に当接することで、ハウジングランスによるコンタクトの係止を補強することができる。
【００１３】
本発明のうち請求項４に係るシーケンシャル接続コネクタは、請求項１乃至３のうちいずれか一項に記載の発明において、前記付加コンタクトの前記挿入方向と直交する方向の側部には、前記付加コンタクトの挿入方向と直交する方向への移動を規制する幅広部が形成されていることを特徴としている。
このシーケンシャル接続コネクタによれば、付加コンタクトの挿入配置時あるいはその後において、付加コンタクトの幅広部により付加コンタクトの挿入方向と直交する方向への移動が規制される。このため、付加コンタクトの挿入方向と直交する方向のずれを極力小さくすることができる。
【００１４】
また、本発明のうち請求項５に係るシーケンシャル接続コネクタに用いられる付加コンタクトは、コンタクト収容キャビティを有する絶縁性のハウジングと、前記コンタクト収容キャビティ内に収容されたリセプタクルコンタクトとを備えたシーケンシャル接続コネクタに用いられる付加コンタクトであって、前記リセプタクルコンタクトに接触する接触板部と、該接触板部の後端側から湾曲部を介して延び、前記ハウジングの内壁に食い込む係止部と、該接触板部の前端側から延びて前記リセプタクルコンタクトの前端よりも前方に突出し且つ相手雄型コンタクトの進入路を横切る接触アームとを備えたことを特徴としている。
【００１５】
この付加コンタクトによれば、付加コンタクトを、コンタクト収容キャビティ内のリセプタクルコンタクトとハウジングの内壁との間に挿入配置することができ、小型のリセプタクルコンタクトの場合であってもシーケンシャル接続を可能とする付加コンタクトを容易に装着することができる。また、付加コンタクトを、コンタクト収容キャビティ内のリセプタクルコンタクトとハウジングの内壁との間に挿入配置した状態で、相手側コネクタを嵌合接続すると、相手雄型コンタクトのうち、付加コンタクトと接触しているリセプタクルコンタクトに接続すべき相手雄型コンタクトが先ず付加コンタクトの接触アームに接触し、その後他の相手雄型コンタクトが付加コンタクトと接触していないリセプタクルコンタクトに接触し、シーケンシャル接続が達成される。ここで、付加コンタクトは、接触板部の挿入方向前端側から延びてリセプタクルコンタクトの前端よりも前方に突出し且つ相手雄型コンタクトの進入路を横切る接触アームを備えているので、相手雄型コンタクトが確実に接触アームに接触し、シーケンシャル接続を確実に達成することができる。
【００１６】
本発明のうち請求項６に係る付加コンタクトは、請求項５記載の発明において、略Ｓ字形に形成されていることを特徴としている。
【００１７】
【発明の実施の形態】
次に本発明の実施形態を図面を参照して説明する。図１は本発明に係るシーケンシャル接続コネクタと相手側コネクタとの嵌合途中の状態を示す断面図である。図２は付加コンタクトを付加コンタクト受容キャビティ内に挿入配置する方法を説明するための断面図である。図３は図１のシーケンシャル接続コネクタを構成するハウジングの部分斜視図である。図４は図１のシーケンシャル接続コネクタに挿入配置される付加コンタクトを示し、（Ａ）は平面図、（Ｂ）は左側面図、（Ｃ）は正面図である。図５は図１のシーケンシャル接続コネクタに挿入配置される付加コンタクトを示し、（Ａ）は正面側斜め上方から見た斜視図、（Ｂ）は背面側斜め上方から見た斜視図である。
【００１８】
図１において、シーケンシャル接続コネクタ（以下、単にコネクタという）Ａは、上下２段に配置された複数のコンタクト収容キャビティ１１ａ，１１ｂを有する絶縁性のハウジング１０と、コンタクト収容キャビティ１１ａ，１１ｂのそれぞれの内部に収容されたリセプタクルコンタクト２０ａ，２０ｂとを備えている。
【００１９】
そして、このコネクタＡは、相手側コネクタＢと嵌合接続されるようになっている。相手側コネクタＢは、コネクタＡのハウジング１０を受容可能なコネクタ受容キャビティ４１を有する絶縁性のハウジング４０と、上下２段のリセプタクルコンタクト２０ａ，２０ｂに接触するように上下２段に配置された複数のポストコンタクト（相手雄型コンタクト）４２ａ，４２ｂとを備えている。上段のポストコンタクト４２ａは接地用のコンタクトであり、下段のポストコンタクト４２ｂは信号用のコンタクトであり、それぞれのポストコンタクト４２ａ，４２ｂの先端位置は挿入方向において揃っている。
【００２０】
ハウジング１０のコンタクト収容キャビティ１１ａ，１１ｂのそれぞれの挿入方向前端（図１において右端）には、ポストコンタクト４２ａ，４２ｂが挿通可能な長方形状の開口１２が形成され、各開口１２の挿入方向前側には開口１２の四方を囲むような傾斜面１３が形成されている。そして、コンタクト収容キャビティ１１ａ，１１ｂのそれぞれの内部には、各コンタクト収容キャビティ１１ａ，１１ｂ内に収容されるリセプタクルコンタクト２０ａ，２０ｂの挿入方向後側への抜け止めを行うハウジングランス１６が形成されている。各ハウジングランス１６は、コンタクト収容キャビティ１１ａ，１１ｂのそれぞれの上壁後方部からコンタクト収容キャビティ１１ａ，１１ｂ内に突出し、前方に向けて延びる片持ち梁状の弾性部材で構成される。そして、各コンタクト収容キャビティ１１ａ，１１ｂのハウジングランス１６の挿入方向前方側には、各コンタクト収容キャビティ１１ａ，１１ｂと連通すると共に、図３に示すように、コンタクト収容キャビティ１１ａ，１１ｂよりも幅の狭い付加コンタクト受容キャビティ１５が形成されている。付加コンタクト受容キャビティ１５は、ハウジング１０の挿入方向前端に開口している。上段の付加コンタクト受容キャビティ１５の挿入方向前端上方には、後述する付加コンタクト３０の接触アーム３４が上方に変位した際に、接触アーム３４を逃げる逃げ凹部１５1 が形成されている。また、ハウジング１０の上段の開口１２には、付加コンタクト３０の接触アーム３４が下方に変位した際に、接触アーム３４の先端に形成された幅細部３７1 を収容する収容凹部１４が開口１２から下方に向けて延びている。ハウジング１０は、絶縁性の合成樹脂を成形することによって形成される。
【００２１】
そして、リセプタクルコンタクト２０ａ，２０ｂのうち上段のリセプタクルコンタクト２０ａは接地用のコンタクトを構成し、下段のリセプタクルコンタクト２０ｂは信号用のコンタクトを構成している。各リセプタクルコンタクト２０ａ，２０ｂは、金属板を打ち抜き及び曲げ加工することにより形成されるものであって、図示しない電線が圧着される電線圧着部２１と、ポストコンタクト４２ａ，４２ｂのそれぞれを受容するリセプタクル部２２とを備えている。リセプタクル部２２内には、ポストコンタクト４２ａ，４２ｂを受容した際に、ポストコンタクト４２ａ，４２ｂのそれぞれに弾性接触する弾性接触片２３が設けられている。各リセプタクルコンタクト２０ａ，２０ｂは、ハウジング１０の挿入方向後方側からコンタクト収容キャビティ１１ａ，１１ｂのそれぞれの内部にリセプタクル部２２を先頭にして挿入される。各リセプタクルコンタクト２０ａ，２０ｂがコンタクト収容キャビティ１１ａ，１１ｂ内に挿入されると、ハウジングランス１６がリセプタクル部２２の後方に位置し、リセプタクルコンタクト２０ａ，２０ｂの挿入方向後側への抜け止めを行う。
【００２２】
また、ハウジング１０の上段の付加コンタクト受容キャビティ１５内、即ち上段のコンタクト収容キャビティ１１ａ内のリセプタクルコンタクト２０ａとハウジング１０の内壁との間には、付加コンタクト３０が挿入配置される。この付加コンタクト３０は、図１、図４及び図５に示すように、略Ｓ字形に形成され、リセプタククルコンタクト２０ａのリセプタクル部２２に接触する接触板部３１と、接触板部３１の挿入方向後端側から湾曲部３２を介して延びる係止部３３と、接触板部３１の挿入方向前端側から延びてコンタクト２０ａのリセプタクル部２２の前端よりも突出し且つポストコンタクト４２ａの進入路を横切る接触アーム３４とを備えている。付加コンタクト３０は、ステンレス等の金属板を打ち抜き及び曲げ加工することによって形成される。また、付加コンタクト３０は、係止部３３がハウジング１０の内壁に食い込み、接触板部３１がリセプタクルコンタクト２０ａのリセプタクル部２２に接触することにより、ハウジング１０の内壁及びリセプタクルコンタクト２０ａ間に挟持されるようになっている。
【００２３】
このように、付加コンタクト３０は、上段のコンタクト収容キャビティ１１ａ内のリセプタクルコンタクト２０ａとハウジング１０の内壁との間に挿入配置されるので、小型のリセプタクルコンタクト２０ａの場合であってもシーケンシャル接続を可能とする付加コンタクト３０を容易に装着することができる。
また、付加コンタクト３０は、接触板部３１の挿入方向前端側から延びてリセプタクルコンタクト２０ａのリセプタクル部２２の前端よりも前方に突出し且つポストコンタクト４２ａの進入路を横切る接触アーム３４を備えているので、ポストコンタクト４２ａが確実に接触アーム３４に接触し、シーケンシャル接続を確実に達成することができる。
【００２４】
さらに、付加コンタクト３０は、略Ｓ字形に形成されているので、ばね領域を大きくすることができ、塑性変形のしにくい構造とすることができる。
また、付加コンタクト３０は、係止部３３がハウジング１０の内壁に食い込み、接触板部３１がコンタクト２０ａのリセプタクル部２２に接触することにより、ハウジング１０の内壁及びリセプタクルコンタクト２０ａ間に挟持されるので、接触板部３１と係止部３３との間の湾曲部３２の弾性力が接触板部３１に作用し、リセプタクルコンタクト２０ａと付加コンタクト３０との安定した接触状態を確保することができる。
【００２５】
そして、接触アーム３４は、接触板部３１の挿入方向前端側から斜め前方上方に延びるばね板部３５と、ばね板部３５の前端側から湾曲部３６を介して斜め後方下方に延びてポストコンタクト４２ａの進入路を横切り、ポストコンタクト４２ａと接触する接触部３７とを備えている。接触部３７の先端には幅細部３７1 が形成され、幅細部３７1 の前面には傾斜面３７2 が形成されている。この傾斜面３７2 は、相手側コネクタＢが斜めに嵌合し、ポストコンタクト４２ａが幅細部３７1 に接触する際に、付加コンタクト３０側への負担を軽減する機能を有する。また、幅細部３７1 の先端面３７3 は、ポストコンタクト４２ａとのスムーズな摺動を確保するため、半円形状となっている。さらに、接触部３７及び幅細部３７1 の前側角縁は、Ｒ形状をなしている。接触部３７及び幅細部３７1 の前側角縁がＲ形状をなすことで、相手側コネクタＢを斜め嵌合した際におけるポストコンタクト４２ａへの損傷を回避できると共に、ポストコンタクト４２ａとのスムーズな接触を確保できる。
【００２６】
この付加コンタクト３０は、図２に示すように、工具Ｔにより湾曲部３２の内側を押圧してハウジング１０の前方側より上段の付加コンタクト受容キャビティ１５内に挿入される。このとき、付加コンタクト３０は、湾曲部３２の外側がハウジングランス１６の先端に当接して挿入方向の位置決めがなされる。このため、付加コンタクト３０の挿入方向の正確な位置決めを行うことができる。また、付加コンタクト３０の湾曲部３２がハウジングランス１６の先端に当接することで、ハウジングランス１６によるリセプタクルコンタクト２０ａの係止を補強することができる。そして、工具Ｔにより湾曲部３２の内側を押圧して付加コンタクト３０を付加コンタクト受容キャビティ１５内に挿入する際には、工具Ｔが図２に示すように接触アーム３４の湾曲部３６の上面に接し、ばね板部３５が下方に変位して細幅部３７1 が下方に移動する。このとき、細幅部３７1 はハウジング１０の上段の開口１２から下方に延びる収容凹部１４内に収容されるので、付加コンタクト３０の挿入を容易に行うことができる。
【００２７】
また、付加コンタクト３０の係止部３３近傍及びばね板部３５の挿入方向と直交する方向の側部には、付加コンタクト受容キャビティ１５の内側壁に当接することにより付加コンタクトの挿入方向と直交する方向への移動を規制する幅広部３８，３９が形成されている。従って、付加コンタクト３０の挿入配置時あるいはその後において、付加コンタクト３０の幅広部３８，３９が付加コンタクト受容キャビティ１５の内側壁に当接すると、付加コンタクト３０の挿入方向と直交する方向への移動が規制される。このため、付加コンタクト３０の挿入方向と直交する方向のずれを極力小さくすることができる。なお、ばね板部３５の側部に形成された幅広部３９の外側角部は、Ｒ形状をなしている。このため、ばね板部３５が変位する際における付加コンタクト受容キャビティ１５の内側壁に対する幅広部３９の接触の影響を最小限にすることができる。
【００２８】
図１に示すように、上段の付加コンタクト受容キャビティ１５内に付加コンタクト３０を挿入配置した状態で、相手側コネクタＢを嵌合接続すると、先ず、接地用コンタクトを構成する上段のポストコンタクト４２ａの先端が付加コンタクト３０の接触部３７外面に接触する。これにより、先ず、接地用コンタクトを構成する上段のポストコンタクト４２ａと接地用のコンタクトを構成する上段のリセプタクルコンタクト２０ａとが電気的に導通する。そして、ポストコンタクト４２ａの挿入を進行させると、ポストコンタクト４２ａが接触部３７外面から幅細部３７1 の外面及び先端面３７3 に沿って摺動し、これにより接触アーム３４がばね板部３５の後方側端部近傍を中心に上方に変位する。この接触アーム３４が上方に変位した際には、付加コンタクト受容キャビティ１５に形成された逃げ凹部１５1 内に接触アーム３４の湾曲部３６近傍が位置し、接触アーム３４とハウジング１０との接触が回避される。そして、ポストコンタクト４２ａの挿入を更に進行させると、ポストコンタクト４２ａは上段のリセプタクルコンタクト２０ａのリセプタクル部２２内に受容され、ポストコンタクト４２ａが弾性接触片２３に接触する。このとき同時に、信号用コンタクトを構成する下段のポストコンタクト４２ｂが信号用コンタクトを構成する下段のリセプタクルコンタクト２０ｂのリセプタクル部２２内に受容され、ポストコンタクト４２ｂが弾性接触片２３に接触する。これにより、信号用コンタクトを構成する下段のポストコンタクト４２ｂと信号用のコンタクトを構成する下段のリセプタクルコンタクト２０ｂとが電気的に導通する。
【００２９】
このように、本発明にあっては、上段の付加コンタクト受容キャビティ１５内に付加コンタクト３０を挿入することにより、先ず、接地用コンタクトを構成する上段のポストコンタクト４２ａと接地用のコンタクトを構成する上段のリセプタクルコンタクト２０ａとを電気的に導通させ、次いで、信号用コンタクトを構成する下段のポストコンタクト４２ｂと信号用のコンタクトを構成する下段のリセプタクルコンタクト２０ｂとを電気的に導通させるので、シーケンシャル接続が可能となる。
【００３０】
以上、本発明の実施形態について説明してきたが、本発明はこれに限定されず、種々の変更を行うことができる。
例えば、リセプタクルコンタクト２０ａ，２０ｂは上下２段に配置される必要はなく、１段、上下３段あるいはそれ以上に配置されてもよい。
【００３１】
【発明の効果】
以上説明したように、本発明のうち請求項１に係るシーケンシャル接続コネクタによれば、コンタクト収容キャビティのリセプタクルコンタクトとハウジングの内壁との間に挿入配置された付加コンタクトを備えているので、小型のリセプタクルコンタクトの場合であってもシーケンシャル接続を可能とする付加コンタクトを容易に装着することができる。また、付加コンタクトは、接触板部の挿入方向前端側から延びてリセプタクルコンタクトの前端よりも前方に突出し且つ相手雄型コンタクトの進入路を横切る接触アームとを備えているので、相手雄型コンタクトが確実に接触アームに接触し、シーケンシャル接続を確実に達成することができる。また、付加コンタクトは、接触板部の挿入方向後端側から湾曲部を介して延びる係止部がハウジングの内壁に食い込み、接触板部がリセプタクルコンタクトに接触することにより、ハウジングの内壁及びリセプタクルコンタクト間に挟持されるので、接触板部と係止部との間の湾曲部の弾性力が接触板部に作用し、リセプタクルコンタクトと付加コンタクトとの安定した接触状態を確保することができる。
【００３２】
本発明のうち請求項２に係るシーケンシャル接続コネクタによれば、請求項１記載の発明において、前記付加コンタクトは、略Ｓ字形に形成されているので、ばね領域を大きくとることができ、塑性変形のしにくい構造とすることができる。
また、本発明のうち請求項３に係るシーケンシャル接続コネクタによれば、請求項１又は２記載の発明において、前記付加コンタクトは、前記湾曲部がハウジングランスの先端に当接して挿入方向の位置決めがなされるので、付加コンタクトの挿入方向の正確な位置決めを行うことができる。また、付加コンタクトの湾曲部がハウジングランスの先端に当接することで、ハウジングランスによるコンタクトの係止を補強することができる。
【００３３】
さらに、本発明のうち請求項４に係るシーケンシャル接続コネクタによれば、請求項１乃至３のうちいずれか一項に記載の発明において、前記付加コンタクトの前記挿入方向と直交する方向の側部には、前記付加コンタクトの挿入方向と直交する方向への移動を規制する幅広部が形成されているので、付加コンタクトの挿入配置時あるいはその後において、付加コンタクトの幅広部により付加コンタクトの挿入方向と直交する方向への移動が規制される。このため、付加コンタクトの挿入方向と直交する方向のずれを極力小さくすることができる。
【００３４】
また、本発明のうち請求項５に係るシーケンシャル接続コネクタに用いられる付加コンタクトによれば、リセプタクルコンタクトに接触する接触板部と、該接触板部の後端側から湾曲部を介して延び、ハウジングの内壁に食い込む係止部と、該接触板部の前端側から延びて前記リセプタクルコンタクトの前端よりも前方に突出し且つ相手雄型コンタクトの進入路を横切る接触アームとを備えているので、請求項１の発明と同様に、小型のリセプタクルコンタクトの場合であってもシーケンシャル接続を可能とする付加コンタクトを容易に装着することができる。また、相手雄型コンタクトが確実に接触アームに接触し、シーケンシャル接続を確実に達成することができる。
【００３５】
本発明のうち請求項６に係るーケンシャル接続コネクタに用いられる付加コンタクトによれば、請求項５記載の発明において、略Ｓ字形に形成されているので、ばね領域を大きくすることができ、塑性変形のしにくい構造の付加コンタクトとすることができる。
【図面の簡単な説明】
【図１】本発明に係るシーケンシャル接続コネクタと相手側コネクタとの嵌合途中の状態を示す断面図である。
【図２】付加コンタクトを付加コンタクト受容キャビティ内に挿入配置する方法を説明するための断面図である。
【図３】図１のシーケンシャル接続コネクタを構成するハウジングの部分斜視図である。
【図４】図１のシーケンシャル接続コネクタに挿入配置される付加コンタクトを示し、（Ａ）は平面図、（Ｂ）は左側面図、（Ｃ）は正面図である。
【図５】図１のシーケンシャル接続コネクタに挿入配置される付加コンタクトを示し、（Ａ）は正面側斜め上方から見た斜視図、（Ｂ）は背面側斜め上方から見た斜視図である。
【図６】従来例のシーケンシャル接続コネクタの断面図である。
【符号の説明】
１０  ハウジング
１１ａ，１１ｂ  コンタクト収容キャビティ
２０ａ，２０ｂ  リセプタクルコンタクト
３０  付加コンタクト
３１  接触板部
３２  湾曲部
３３  係止部
３４  接触アーム
３８，３９  幅広部
４２ａ，４２ｂ  ポストコンタクト（相手雄型コンタクト）
Ａ  シーケンシャル接続コネクタ
【図１】
0003699057.tif 000002
【図２】
0003699057.tif 000003
【図３】
0003699057.tif 000004
【図４】
0003699057.tif 000005
【図５】
0003699057.tif 000006
【図６】
0003699057.tif 000007